(57)【要約】【課題】建物外の敷地の広さに制約がある場合においても外部スペースを確保することができる。【解決手段】居室を構成する上層階の一部を支持する外周柱を配置しないで跳ね出し構造とされた前記上層階の跳ね出し部により覆われた外部スペース有する建物。【選択図】図１
2015145580.tif 000002
【特許請求の範囲】
【請求項１】
居室を構成する上層階の一部を支持する外周柱を配置しないで跳ね出し構造とされた前記上層階の跳ね出し部により覆われた外部スペース有する建物。
【請求項２】
前記上層階を支持する柱は、免震装置を介して支持されている請求項１に記載の建物。
【請求項３】
端部が突き合う前記上層階の２つの側面には、端部同士が接合されたトラス架構が配置されている請求項１又は２に記載の建物。
【発明の詳細な説明】
【技術分野】
【０００１】
本発明は、外周部に駐車スペース等の外部スペースを備える建物に関する。
【背景技術】
【０００２】
建物の地上階外周に、駐車場、車寄せ、駐輪場、広場、遊び場、前庭等の外部スペースを設ける場合、このための敷地を建物外に確保しなければならない。よって、建物外の敷地の広さに制約がある場合に、十分な広さの外部スペースを確保することができない。
【０００３】
例えば、建物の地上階外周にトラックバース等の屋根が必要な駐車スペースを設ける場合、従来は、建物の外壁面に庇を設け、この庇の下方を駐車スペースにしていた。例えば、特許文献１には、建築物の屋根を外側へ張り出させて庇を形成し、この庇の下方をトラックバースとしている例が開示されている。
【０００４】
しかし、建物の外壁面に設けた庇の下方を駐車スペースにする場合、車両を駐車する駐車スペースと、この駐車スペースへ車両を進入させるための転回スペースを、建物外に確保しなければならない。すなわち、建物外に広い敷地を確保しなければならない。
【先行技術文献】
【特許文献】
【０００５】
【特許文献１】特開平１１−３０３２０９号公報
【発明の概要】
【発明が解決しようとする課題】
【０００６】
本発明は係る事実を考慮し、建物外の敷地の広さに制約がある場合においても外部スペースを確保することができることを課題とする。
【課題を解決するための手段】
【０００７】
第１態様の発明は、居室を構成する上層階の一部を支持する外周柱を配置しないで跳ね出し構造とされた前記上層階の跳ね出し部により覆われた外部スペース有する建物である。
【０００８】
第１態様の発明では、外部スペースを平面視にて上層階外壁面の内側に位置する建物の地上階に外部スペースを確保できるので、建物外の敷地の広さに制約がある場合においても外部スペースを確保することができ、建物が建てられている敷地の有効利用を図ることができる。また、上層階の一部を支持する外周柱を配置しないので、外部スペースにとって邪魔な建物外周部の外周柱を少なく又は無くすことができる。
【０００９】
第２態様の発明は、第１態様の建物において、前記上層階を支持する柱は、免震装置を介して支持されている。
【００１０】
第２態様の発明では、免震装置を介した柱で上層階が支持されることによって建物が免震建物を構成するので、建物に作用する地震力が低減され、柱が負担する荷重が小さくなる。これにより、外部スペースにとって邪魔な建物外周部の外周柱を多く減らすことができる。
【００１１】
また、柱を減らすことにより、柱を支持する免震装置を減らすことができるので、免震ピット面積を減らすことができる。これにより、掘削工事や基礎工事の手間を軽減することができ、この部分の施工コストを低減することができる。
【００１２】
第３態様の発明は、第１又は第２態様の建物において、端部が突き合う前記上層階の２つの側面には、端部同士が接合されたトラス架構が配置されている。
【００１３】
第３態様の発明では、トラス架構同士が互いの端部を支持し合うことによって、大きな梁成の梁を用いなくても、建物のコーナー部の柱を無くすことができる。
【発明の効果】
【００１４】
本発明は上記構成としたので、建物外の敷地の広さに制約がある場合においても外部スペースを確保することができる。
【図面の簡単な説明】
【００１５】
【図１】本発明の実施形態に係る建物を示す斜視図である。
【図２】本発明の実施形態に係る建物のバリエーションを示す斜視図である。
【図３】本発明の実施形態に係るトラックバースを示す平面図である。
【図４】本発明の実施形態に係る建物の躯体構造を示す斜視図である。
【図５】本発明の実施形態に係る建物の躯体構造のバリエーションを示す正面図である。
【図６】本発明の実施形態に係る建物の躯体構造のバリエーションを示す斜視図である。
【図７】本発明の実施形態に係る建物の躯体構造のバリエーションを示す斜視図である。
【発明を実施するための形態】
【００１６】
図を参照しながら、本発明の実施形態を説明する。ここでは、本発明の実施形態に係る建物の一例として、トラックバースとしての外部スペースを備えた建物について説明する。
【００１７】
図１の斜視図には、本実施形態の建物１０が示されている。建物１０内には、外部スペースとしての車用スペースを構成するトラックバース１２が設けられている。居室を構成する上層階としての２階１４の一部は、この２階１４の一部を支持する外周柱を配置しないで跳ね出し構造とされている。そして、この跳ね出し構造により形成された２階１４の跳ね出し部１６によりトラックバース１２が覆われている。また、建物１０の２階１４以上の階は、居室を構成している。すなわち、図２（ａ）の斜視図に示すように、トラックバース１２は、建物１０の１階１８の外壁面の一部を建物１０の内側へ入り込ませて（凹ませて）形成され、平面視にて２階１４の外壁面より内側に位置する、建物１０の地上階に設けられた外部スペースであり、張り出し部１６は、単なる屋根や庇ではない。
【００１８】
図１に示すように、トラックバース１２の内側（トラックバース１２の空間内）には、内部柱が設けられていない。また、建物１０の外部へ面するトラックバース１２の開放面には、外周柱が設けられていない。
【００１９】
トラックバース１２は、運送用のトラック２４を停めて荷物の積み下ろしを行う駐車スペースであり、２階１４の下方に設けられた下層階としての１階１８の外壁２０に形成された開口部としての搬出入口２２を介して、トラックバース１２と建物１０内との間で荷物の出し入れが行われる。
【００２０】
図３の平面図に示すように、本実施形態では、車用スペースの全てがトラックバース１２になっている。すなわち、車用スペースの全てが駐車スペースとして用いられている。そして、トラックバース１２へトラック２４を進入させるための転回スペース２６は、トラックバース１２付近の建物１０外側に設けられている。
【００２１】
建物１０の躯体構造を示した図４の斜視図に示すように、建物１０の躯体柱２８は、免震装置としての積層ゴム支承等の免震支承３０を介して地盤３２上に支持され、躯体柱２９は、２階１４の床部分に配置された躯体梁４２に支持されている。すなわち、建物１０の２階１４を支持する躯体柱２８は、免震支承３０を介して地盤３２上に支持されている。これにより、建物１０は、免震建物を構成している。
【００２２】
端部が突き合う建物１０の２つの側面３４、３６には、トラス架構としてのメガトラス架構３８とトライアングルフレーム架構４０がそれぞれ設けられている。
【００２３】
メガトラス架構３８は、鉄骨製の躯体柱２８、２９及び躯体梁４２により構成され建物１０の側面３４に配置された柱梁架構４４の一部にブレース部材４６を設けることにより、２階１４にトラス架構５０、３階４８にトラス架構５２を帯状に配置し、これらを一体化して２階１４及び３階４８の複数層に跨って形成したトラス架構である。尚、メガトラス架構３８は、複数層に跨って形成しなくてもよい。
【００２４】
メガトラス架構３８は、複数層に跨ったトラス架構を構成することにより、梁成の大きい大スパン架構とすることができるので、メガトラス架構３８の下方でこのメガトラス架構３８を支持する躯体柱（トラックバース１２の内側に設けられる内部柱や、トラックバース１２の開放面に設けられる外周柱）を減らす又は無くすことができる。
【００２５】
トライアングルフレーム架構４０は、建物１０の側面３６に配置された柱梁架構４４の一部にブレース部材４６を設けることにより、１階１８及び２階１４の複数層に跨って上方へ広がるように形成された、下端頂部５４を荷重支持点とする三角形状のトラス架構である。尚、トライアングルフレーム架構４０は、複数層に跨って形成しなくてもよい。
【００２６】
トライアングルフレーム架構４０は、三角形状の閉じたトラス架構になっているために、荷重支持点（下端頂部５４）に水平方向の反力を常時発生し難くすることができる。よって、安定して上階の広い範囲を支持することができるので、張り出し部１６が倒れ込まないように効果的に保持することができる。本実施形態では、水平変位を許容する免震支承３０によって荷重支持点（下端頂部５４）が支持されているので、この効果が有効となる。
【００２７】
メガトラス架構３８とトライアングルフレーム架構４０は、端部同士が接合されている。メガトラス架構３８の端部（２階１４のコーナー部）は、この端部下方に躯体柱を配置して支持する必要がある。これに対して、本実施形態では、下端頂部５４の１箇所の荷重支持点のみで上階の広い範囲を支持することができるトライアングルフレーム架構４０の端部でメガトラス架構３８の端部を支持することにより、メガトラス架構３８の端部（２階１４のコーナー部）下方に配置する躯体柱を無くすことができる。すなわち、トラックバース１２のコーナー部に設けられる外周柱を無くすことができる。
【００２８】
次に、本発明の実施形態に係る建物の作用と効果について説明する。
【００２９】
本実施形態の建物１０では、図３に示すように、外部スペースであるトラックバース１２を平面視にて２階１４の外壁面の内側に位置する建物１０の地上階に確保できるので、建物１０外の敷地の広さに制約がある場合においても外部スペースを確保することができ、建物１０が建てられている敷地の有効利用を図ることができる。すなわち、建物１０の外側にトラック２４の駐車スペース及び転回スペースの全てを設ける構成と比べて、建物１０外に必要な敷地を小さくすることができる。
【００３０】
また、本実施形態の建物１０では、図１に示すように、建物１０内にトラックバース１２を設けることにより、トラック２４から搬出したりトラック２４へ搬入したりする荷物や、運転手が雨で濡れないようにする為の庇を無くすことができる、又は小さくすることができる。
【００３１】
さらに、本実施形態の建物１０では、図１に示すように、車用スペースとしてのトラックバース１２にとって邪魔な、トラックバース１２の内側に設けられる内部柱や、トラックバース１２の開放面に設けられる外周柱が無いので、車用スペースの運用効率や安全性を向上させることができる。例えば、トラックバース１２の進入口の柱を無くすことにより、トラック２４を進入し易くできる。
【００３２】
また、本実施形態の建物１０では、図４に示すように、トライアングルフレーム架構４０の端部でメガトラス架構３８の端部を支持することにより、メガトラス架構３８の端部（２階１４のコーナー部）下方に配置する躯体柱を無くすことができる。また、例えば、トラックバース１２において、コーナー部に配置するトラックバース１２の外周柱を残し、トラックバース１２の開放面に位置する他の外周柱を無くした場合、コーナー部に配置するトラックバース１２の外周柱を支持する免震支承を所定の平面位置に保持するための方策（例えば、基礎梁を設ける）をとらなければならないが、本実施形態の建物１０では、メガトラス架構３８の端部（２階１４のコーナー部）下方に配置する躯体柱を無くすことができるので、このような方策の手間を省くことができる。
【００３３】
さらに、本実施形態の建物１０では、図４に示すように、メガトラス架構３８及びトライアングルフレーム架構４０のトラス架構を設けることにより、建物１０の軽量化を図ることができ、また、建物１０の壁面に窓やベランダへの出入口等を容易に設けることができる。
【００３４】
また、本実施形態の建物１０は、図４に示すように、建物１０の躯体柱２８が免震支承３０を介して地盤３２上に支持されることにより、免震建物を構成する。これにより、建物１０に作用する地震力が低減され、躯体柱が負担する荷重が小さくなる。すなわち、躯体柱２８によって建物１０の長期荷重を支えることができればよい。これにより、トラックバース１２に設けられる柱を多く減らすことができる。
【００３５】
さらに、本実施形態の建物１０では、トラックバース１２の内側に設けられる内部柱や、トラックバース１２の開放面に設けられる外周柱を無くす又は減らすことにより、柱を支持する免震支承３０を減らすことができるので、免震ピット面積を減らすことができる。これにより、掘削工事や基礎工事の手間を軽減することができ、この部分の施工コストを低減することができる。
【００３６】
また、本実施形態の建物１０では、先に説明したように、トラックバース１２の内側に設けられる内部柱や、トラックバース１２の開放面に設けられる外周柱を減らす又は無くすことにより施工コストを低減することができるので、メガトラス架構３８のような大スパン架構や、トライアングルフレーム架構４０のような特殊架構を設けて建設コストが増加しても、建物１０全体としての建設コストを大きく増加させず、又は増加させずに、トラックバース１２のスペースを確保することができる。なお、トラックバース１２の外周柱を減らして免震装置を減らすことにより、その周囲の免震装置の負担軸力が増えて免震装置の仕様アップが考えられるが、一般に、建物外周部の躯体柱の負担軸力は建物内部の躯体柱の負担軸力よりも小さいので、仕様アップによるコストアップは抑えられる。
【００３７】
以上、本発明の実施形態について説明した。
【００３８】
なお、本実施形態では、図３に示すように、車用スペースの全てを駐車スペース（トラックバース１２）とした例を示したが、建物１０内の車用スペースから建物１０の外側へはみ出して駐車スペースが配置されていてもよいし、建物１０内の車用スペースが、駐車スペースと転回スペースの一部又は全部からなるようにしてもよい。建物１０内の車用スペースを、駐車スペースと転回スペースを有するものとした場合、駐車スペースと転回スペースからなる車用スペースを建物１０内に確保できるので、建物１０外の敷地の広さに大きく制約されずに、又は建物外の敷地を用いずに、駐車スペース及び転回スペースを確保することができる。
【００３９】
また、本実施形態では、図２（ａ）に示すように、外部スペースとしてのトラックバース１２を建物１０のコーナー部に設けた例を示したが、外部スペースは、建物１階部分の外壁面の一部又は全部を建物１０内側へ入り込ませて（凹ませて）形成されていればよく、建物１０の１階１８のコーナー部に設けてもよいし、建物１０の１階１８の１つの側面の中央部に設けてもよいし、建物１０の全周に渡って設けてもよい。
【００４０】
例えば、図２（ｂ）〜（ｄ）の斜視図に示す建物６２、６４、６６のようにしてもよい。図２（ｂ）のように、建物６２の１つの側面の中央部に外部スペース（トラックバース１２）を設ける場合には、例えば、図５の正面図に示すように、柱梁架構４４の一部にブレース部材４６を設けることにより、２階１４にトラス架構５６、３階４８にトラス架構５８を帯状に配置し、これらを一体化して２階１４及び３階４８の複数層に跨って形成したメガトラス架構６０の両端部を躯体柱２８で支持するようにすればよい。
【００４１】
さらに、本実施形態では、図４に示すように、端部が突き合う建物１０の２つの側面３４、３６に、メガトラス架構３８とトライアングルフレーム架構４０を設けた例を示したが、トラックバース１２の内側に設けられる内部柱や、トラックバース１２の開放面に設けられる外周柱を少なくすることができれば、どのような架構形式のものを配置してもよい。例えば、鉄骨造の大スパントラス架構であってもよいし、大断面の壁梁などを有するＲＣ造の大スパンラーメンであってもよい。また、例えば、図６の斜視図に示す建物６８のように、端部が突き合う建物１０の２つの側面３４、３６の両方に、トライアングルフレーム架構４０を設けるようにしてもよいし、図７の斜視図に示す建物７０のように、端部が突き合う建物１０の２つの側面３４、３６の両方に、メガトラス架構３８を設けるようにしてもよい。
【００４２】
また、本実施形態では、図４に示すように、トライアングルフレーム架構４０の端部でメガトラス架構３８の端部を支持することにより、メガトラス架構３８の端部（２階１４のコーナー部）下方に配置する躯体柱を無くした例を示したが、端部が突き合う建物１０の２階１４部分の２つの側面３４、３６に、端部同士が接合されたトラス架構を配置しても、トラス架構同士が互いの端部を支持し合うことによって、大きな梁成の梁を用いなくても、建物のコーナー部の柱を無くすことができる。
【００４３】
さらに、本実施形態では、図１に示すように、外部スペースとしてのトラックバース１２の内側に設けられる内部柱や、トラックバース１２の開放面に設けられる外周柱が無い例を示したが、外部スペースに幾つかの外周柱や内部柱を設けてもよい。例えば、外部スペースを車用スペースとしてのトラックバース１２とした場合においては、車用スペースの運用効率や安全性を向上させることができる程度に内部柱や外周柱を設けてもよい。建物１０を免震建物とした場合、免震ピット面積を小さくすることがコスト低減に有効となるので、免震ピットを小さくできるように外部スペースの内部柱や外周柱を減らす又は無くすことが好ましい。
【００４４】
また、本実施形態では、図１に示すように、外部スペースをトラックバース１２とした例を示したが、これはあくまでも一例であり、本実施形態の外部スペースは、さまざまな用途のスペースとして用いることができる。例えば、外部スペースを、車寄せや駐輪場等の車用スペースとして用いてもよいし、広場、遊び場、前庭等のスペースとして用いてもよい。
【００４５】
さらに、本実施形態では、建物１０を鉄骨造の免震建物とした例を示したが、建物１０は、鉄筋コンクリート造、鉄骨造、鉄骨鉄筋コンクリート造、ＣＦＴ造（Concrete-Filled Steel Tube：充填形鋼管コンクリート構造）、それらの混合構造など、さまざまな構造や規模の建物であってもよいし、免震建物であってもよいし、耐震建物であってもよい。本実施形態を適用する建物を耐震建物とすれば、躯体柱を減らすことにより躯体柱を支持する杭を減らすことができるので、施工コスト低減が期待できる。
【００４６】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００４７】
１０  建物
１２  トラックバース（外部スペース）
１４  ２階（上層階）
１６  跳ね出し部
１８  １階（下層階）
２０  外壁
２２  搬出入口（開口部）
３０  免震支承（免震装置）
３４、３６  側面
３８、６０  メガトラス架構（トラス架構）
４０  トライアングルフレーム架構（トラス架構）
【図１】
2015145580.tif 000003
【図２】
2015145580.tif 000004
【図３】
2015145580.tif 000005
【図４】
2015145580.tif 000006
【図５】
2015145580.tif 000007
【図６】
2015145580.tif 000008
【図７】
2015145580.tif 000009